(57)【要約】【課題】  簡単な方式で組立と分解ができ、低コストで画像表示装置を提供する。【解決手段】  画像表示装置(1)は、表示ユニット(3)と、表示ユニット(3)を縁取るフレーム(5)並びに後壁(9)を備え、前記表示ユニット(3)と前記後壁(9)は前記フレーム(5)に連結していて、前記フレーム(5)は細長い輪郭レール(7)から形成され、該レールはその正面側端部で互いに接合されていて引張りベルト(17)によって結合されており、前記引張りベルトは、前記輪郭レール(7)の第１辺(13)の表面に、前記フレームを包囲するように配置されており、前記輪郭レール(7)の前記頂点の領域に、前記後壁(9)を挿入するくぼみを形成する、角のある外側段部(21)が配設される。【選択図】  図８
2006313351.tif 000002
【特許請求の範囲】
【請求項１】
表示ユニット（３）と、前記表示ユニット（３）を縁取るフレーム（５）と、後壁（９）とから成る画像表示装置（１）であって、
前記表示ユニット（３）及び前記後壁（９）は前記フレーム（５）に連結されており、前記フレーム（５）は細長い輪郭レール（７）で構成されており、前記レールはその正面側端部で接合されていて引張りベルト（１７）を介して結合されており、前記輪郭レール（７）は、第１辺（１３）と第２辺（１５）を有して略角形に形成されて間に頂点を画成しており、前記引張りベルトは、前記輪郭レール（７）の第１辺（１３）の表面に、前記フレーム（５）を包囲するように配置されており、前記輪郭レール（７）の前記頂点の領域に、前記後壁（９）を挿入するくぼみを形成する、角のある外側段部（２１）が配設されている、ことを特徴とする画像表示装置（１）。
【請求項２】
前記第１辺（１３）の外側に溝型（１９）があり、前記溝形の中に前記引張りベルト（１７）が延在している、請求項１に記載の画像表示装置（１）。
【請求項３】
前記輪郭レール（７）の前面端部は、隣接する輪郭レール（７）外縁を９０°とするために略４５°の角度で斜切されている、請求項１に記載の画像表示装置（１）。
【請求項４】
前記引張りベルト（１７）はプラスチックで作られている、請求項１に記載の画像表示装置。
【請求項５】
前記表示ユニット（３）は、前記輪郭レール（７）の少なくとも２つの辺（１３）の前記引張りベルト（１７）の力によって保持されている、請求項１に記載の画像表示装置（１）。
【請求項６】
前記輪郭レール（７）の前記頂点の領域内部に溝（２３）が形成され、前記溝内に整合フレーム（２５）が挿入されている、請求項１に記載の画像表示装置（１）。
【請求項７】
表示ユニット（３）に、前記輪郭レール（７）の前記第１辺（１３）の内部の溝形（２７）と係合している支持レール（１９）が装着されている、請求項１に記載の画像表示装置（１）。
【発明の詳細な説明】
【技術分野】
【０００１】
本発明は、表示ユニット、表示ユニットを縁取るフレーム、および後壁を有する画像表示装置に言及する。本発明は特にフラット・スクリーンに言及する。
【背景技術】
【０００２】
この種の画像表示装置はかねてより知られており、例えばＴＶ受像機、プラズマＴＶ受像機またはコンピュータに対応するモニタなどのあらゆる種類の画像形式を表示するために用いられている。そのような画像表示装置の製造は、まずは画像表示装置のフレームの輪郭レールを溶接し、安泰な連結をもたらすために、直接または角継手を介して互いに圧縮されなければならないため、厄介であった。続いて、表示ユニットそのものがこのフレームに安全な方式で連結されなければならない。全体として、この組立体は比較的手間がかかって費用も嵩み、必須である修理作業の場合の画像装置の分解も同様に手間がかかって費用も嵩むものである。
【０００３】
この組立体を簡略化するために、特許文献１で、前端で互いに連結された輪郭レールからなり、その２つの隣接した輪郭レールの前端の間に角継手が配置されているフレームが提案された。輪郭レールの内側には溝形があり、前記溝形内には締め付け要素が延在していて、該締め付け要素はフレームの内側からアクセスできるようになっており、前記締め付け要素は、フレームの内側から、輪郭レールを互いに締め付けるようになっている。これは従来の方法に比べて、より簡略化されたフレームの組立体を可能にするが、構成要素の数が増えることは不利であり、表示ユニットの挿入は、フレームの組立の後でないと実行することができない。
【０００４】
【特許文献１】欧州特許第１，４２０，１４０Ｂ１号
【発明の開示】
【発明が解決しようとする課題】
【０００５】
したがって、本発明の目的は、特に簡単な方式で組立と分解ができ、製造費用を大幅に削減することができる画像表示装置を提供することである。
【課題を解決するための手段】
【０００６】
本発明によれば、画像表示装置は、表示ユニットと、前記表示ユニットを縁取るフレームと、後壁とを備え、前記表示ユニットと前記後壁は前記フレームに連結していて、前記フレームは細長い輪郭レールから形成され、該レールはその前面側端部で互いに連結されていて引張りベルトによって結合されており、前記輪郭レールは、前記輪郭レールの第１辺の外面に配置されてフレームを包囲するようになっている。
【０００７】
こうして、個々の輪郭レールを組立の前に完全に覆うことができるので、単純で費用効率の高い画像表示装置の組立体を可能にし、フレーム上に表示ユニットのいくつかの代替配置を可能にする。
【０００８】
輪郭レールは、第１辺と第２辺にて略角配置で形成されている。このことは一方では輪郭レールの安定性を増し、他方では、第２辺の長さを、表示ユニットの所望の寸法に適応させるために可変とすることができる。
【０００９】
前記輪郭レールの前記頂点の領域に、くぼみを形成するための角のある外側段部が配設され、前記くぼみに前記後壁が挿入される。こうして、後壁とフレームの間の連結が特段に単純な方式で形成され、前記連結は、外側に見える連結要素を必要としない。
【００１０】
第１辺は好適には、引張りベルトを内部に延在させる溝形をその外側に備え、それにより引張りベルトの安泰な誘導が保証され、引張りベルトの側方位置ずれが防止される。
【００１１】
輪郭レールの前面端部は好ましくは、隣接している輪郭レール外縁を９０°とするために略４５°の角度で斜切されている。これが、角継手を介在させずに輪郭レールを直接組み立てることを可能にする。
【００１２】
引張りベルトは好ましくはプラスチック、好ましくはＰＥＴから成り、それは一方では、システム構成要素の安全かつ耐久性のある締め付けを保証し、他方では簡単な交換を保障する。
【００１３】
本発明によれば、表示ユニットは少なくとも２つの第１辺の輪郭レールの引張りベルトの力によって固定され保持されていてよい。こうして、フレームへの表示ユニットの装着は、フレーム組立手順の一環としての一工程となり、付加的な組立は必要でない。
【００１４】
支持レールは有利には、表示ユニットに装着されており、表示ユニットは輪郭レールの第１辺の内側の溝形と係合していて、それにより表示ユニットの輪郭レールに対する安泰な整合が保証されている。
【００１５】
支持レールは好適には外側に向けたばね状突片を備え、それは、表示ユニットと輪郭レールの間の耐久的な連結が簡単な方式で達成されるように、輪郭レールの第１辺の内側に固定されている。
【００１６】
輪郭レールの頂点の領域の、整合フレームが挿入される側に溝が配設されていることは有利である。この特徴は画像表示装置の組立には特に有利であるが、それは、輪郭レールはまず整合フレームに差し込まれ、整合フレームを後から取り外す必要を生じさせずに、引張りベルトが引き締められる前に整合させることができるからである。この整合フレームは、輪郭レールの第２辺の上に、はさみ額縁の一種として突出し、任意の色が付いていてよい。
【００１７】
本発明のさらなる詳細、特徴および利点は、図面を参照した以下の説明から導き出されることができる。
【発明を実施するための最良の形態】
【００１８】
図１から図９は、本発明の好適な実施形態を詳細に示す。
【００１９】
図１は、本発明による画像表示装置１を正面図で示す。画像表示装置１は、保護カバープレートがついたＬＣＤパネルまたはプラズマパネルとして通常は形成されている表示ユニット３から構成される。透明保護プレートが通常はパネル上に付着されている。画像表示装置１はさらに、表示ユニット３を縁取るのに役立つとともに本実施例では４本の細長い真直ぐな輪郭レール７から成るフレーム５を備える。これらの輪郭レール７は例えばアルミニウムから成り、隣接している輪郭レール８の間で９０°の外縁がなされるように、その前端部で略４５°の角度で斜切されている。しかし、２つの輪郭レール７の間の移行領域において、縁のかわりに丸み付けが存在する構造もあり得る。角継手の使用もあり得る。フレーム５は電磁輻射に耐密でもあるものとする。
【００２０】
図２からわかるように、画像表示装置１は、フレーム５に連結している後壁９をも備える。この後壁９は、一体化して形成されてもよいし、または、いくつかの部品から構成されていてもよく、その４辺すべてでフレーム５に連結されている。
【００２１】
図１の線Ｃ−Ｃに沿った断面図からわかるように、画像表示装置の動作に必須の電気／電子ユニット１１は、表示ユニット３と後壁９の間に形成された空間に配置されている。
【００２２】
図４および図５の領域Ｂの拡大図は、本発明による画像表示装置１のフレーム５の外部構造を示す。輪郭レール７は角配置で形成され、第１辺１３と、該第１辺に対して略直角に延出した第２辺１５を備え、第１辺と第２辺の間に頂点を郭成している。第２辺１５は表示ユニット３の可視部分を郭成するとともにその補強に役立つ一方、引張りベルト１７が、フレーム５を包囲するために各輪郭レール７の第一辺１３外面に配置され締め付けられている。個々の輪郭レール７はその結果、厳密に整えられた方式で結合され、相互の位置ずれがないように耐久的に固定されている。引張りベルト１７にはある程度弾性の性質もあるべきであるが、長期使用の場合には、引張りベルト１７が磨耗するリスクなく輪郭レール７の安泰な連結が保証されなければならないため、特別な引張り強さ、引裂耐性、安定性をも持ち合わせている。
【００２３】
この目的のため、いくつかのプラスチック材料、例えばＰＰＴ（ポリエチレンテレフタレート）製の引張りベルト１７が特に適している。本実施例では、幅が約１２ｍｍで厚みが約０．７５ｍｍのベルトが使用された。
【００２４】
図６の図からさらに明確になるように、溝形１９が第１辺１３の外側に形成されて、引張りベルト１７が前記溝形内に円周状に形成されている。この溝形によって、組み立てられた状態の引張りベルト１７の側方への動きがさらに防止される。角のある輪郭レール７の頂点の領域に、角のある外部段部２１がさらに形成され、それによりＵ字状のくぼみが生じ、そのくぼみは背面に向けて開放され、後壁９を収容するために役立つ。さらに、第２辺１５に平行に延在する溝２３が、輪郭レール７の頂点の領域内側に配置されており、  前記溝は、整合フレーム２５に差し込まれるために役立つ。この整合フレーム２５は通常薄板でできており、先ず引張り工程に先立って輪郭レール７を整合させるために役立つ。しかし、第２辺１５上に内部に突出する整合フレーム２５を使用すると、はさみ額縁の効果が発生するため、審美的な側面も付加的に実現させることができる。この整合フレーム２５は任意の色で着色されていてもよい。各輪郭レール７の第１辺１３の内側に、表示ユニット５を固定し支持するために役立つ溝形２７も形成されている。
【００２５】
図７および図８の拡大図からさらに明確になるように、表示ユニット３は、通常ねじ込み式連結で支持レール２９に連結されている。保持レールは、その例が図９に示されているが、フレーム５の輪郭レール７への係合に役立つ。特に単純な連結を得るため、角のある支持レール２９の側辺上に、外側に向けて突出するばね状突片３１が形成され、前記ばね状突片は輪郭レール７の第１辺１３の内側の溝形に嵌合している。この構成に起因して、表示ユニット３のフレーム５への固定が達成され、前方および後方への動き並びに右側および左側への動きを防止する。そのような支持レール２９は、表示ユニット３の４辺すべてに配置されてもよいが、付加的に、例えば支持レール２９の長手方向端部に形成された突出部３３によって、上方向および下方向に固定がもたらされれば、そのような支持レール２９を２つの対向面に装着すれば十分でもある。
【００２６】
そのような実施形態では、組み立ては以下の方式で特段に容易に実行される。まず、支持レール２９すべてが、表示ユニット３の少なくとも２つの対向する辺に装着される。続いて、輪郭レール７が外側から整合フレーム２５に差し込まれ、同時に支持レール２９のばね状突片３１が溝形１９内に収容される。引張りベルト１７は溝形１９内に、輪郭レール７の第１辺１３の外面の周りに周方向に配置され、それ自体周知の装置によって固締され、組み立てられて閉じたベルトを形成する。続いて、後壁９のみが、そのために配設されたくぼみに挿入され、支持レール２９または表示ユニット３に連結要素がある場合はそれに装着されなければならない。
【００２７】
引張りベルト１７はフレームの外周上にあるので、フレーム５の組立完了後に、フレームへの表示ユニット３の、例えばねじ込み等の従来の装着方法もまたあり得る。一体化された整合フレームの代わりに、フレーム５の組み立て後に取り除くことができる、外部の一時的な整合装置のみを配設することもあり得る。
【００２８】
こうして、特段に簡単で融通性のある方式で組み立て、さらに分解が可能な画像表示装置が本発明によって創り出され、それは費用効率もよく、構成要素の安泰で耐久的な固定をも可能にする。
【図面の簡単な説明】
【００２９】
【図１】本発明による画像表示装置の正面図である。
【図２】本発明による画像表示装置の、部分的に断面図で示した模式斜視図である。
【図３】図１の線Ｃ−Ｃに沿った断面図である。
【図４】本発明による画像表示装置のフレームのみの斜視図である。
【図５】図４のＢで示された区分の拡大図である。
【図６】本発明による画像表示装置の輪郭レールおよび後壁の、部分的に断面図で示した斜視図である。
【図７】図２のＥで示された区分の拡大図である。
【図８】図２のＤで示された区分の拡大断面図である。
【図９】本発明の一実施形態による表示ユニットの支持レールの図である。
【符号の説明】
【００３０】
１  画像表示装置
３  表示ユニット
５  フレーム
７  輪郭レール
９  後壁
１１  電気／電子ユニット
１３  第１辺
１５  第２辺
１７  引張りベルト
１９  溝形
２１  段部
２３  溝
２５  整合フレーム
２７  溝形
２９  支持レール
【図１】
2006313351.tif 000003
【図２】
2006313351.tif 000004
【図３】
2006313351.tif 000005
【図４】
2006313351.tif 000006
【図５】
2006313351.tif 000007
【図６】
2006313351.tif 000008
【図７】
2006313351.tif 000009
【図８】
2006313351.tif 000010
【図９】
2006313351.tif 000011